(57)【要約】【課題】ゴミ袋を壁面に吊り下げて、場所を取らずに多量のゴミを収容できるゴミ袋ホルダーを提供する。【解決手段】壁面に固定される基体１に弾力性を有するアーム２を両側方へ向けて形成し、各アーム２の先端部にゴミ袋Ｂの上縁一辺両端部を固定するクリップ３を取り付け、ゴミ袋Ｂの上縁一辺を基体１に形成した抑制片４の後方に抑制保持して、ゴミ袋Ｂの上縁他辺を前方へ引っ張ると、アーム２が撓んでゴミ袋Ｂが開口し、手を離すとアーム２が復元してゴミ袋Ｂが閉じるようにする。【選択図】  図４
2004203554.tif 000002
【特許請求の範囲】
【請求項１】
壁面に固定される基体に弾力性を有するアームを両側方へ向けて形成し、各アームの先端部にゴミ袋の上縁一辺両端部を固定するクリップを取り付け、ゴミ袋の上縁一辺を基体の後方に抑制保持して、ゴミ袋の上縁他辺を前方へ引っ張ると、アームが撓んでゴミ袋が開口し、手を離すとアームが復元してゴミ袋が閉じるようにしたゴミ袋ホルダー。
【請求項２】
前記両アームの先端部からゴミ袋の前面を覆うカバーを吊り下げたことを特徴とする請求項１に記載のゴミ袋ホルダー。
【発明の詳細な説明】
【０００１】
【発明の属する技術分野】
この発明は、ゴミ袋を壁面に吊り下げて保持するゴミ袋ホルダーに関するものである。
【０００２】
【従来の技術】
一般に、家庭において発生する食品パックやカップ、トレー等のプラスチック包装材のゴミは、台所の片隅や勝手口の脇などに置いた蓋付きのゴミ箱にポリエチレン製のゴミ袋を内装して、そのゴミ袋の内部に投入するようにしている場合が多い。
【０００３】
【発明が解決しようとする課題】
しかしながら、この場合、ゴミ箱が場所を取るだけでなく、ゴミの収容量がゴミ箱の容量に制限されて、嵩張るプラスチック包装材のゴミが多量に発生する大家族の家庭などでは、ゴミ箱がすぐに満杯になってしまうという問題がある。
【０００４】
そこで、この発明は、ゴミ袋を壁面に吊り下げて、場所を取らずに多量のゴミを収容できるゴミ袋ホルダーを提供しようとするものである。
【０００５】
【課題を解決するための手段】
上記課題を解決するため、この発明では、壁面に固定される基体に弾力性を有するアームを両側方へ向けて形成し、各アームの先端部にゴミ袋の上縁一辺両端部を固定するクリップを取り付け、ゴミ袋の上縁一辺を基体の後方に抑制保持して、ゴミ袋の上縁他辺を前方へ引っ張ると、アームが撓んでゴミ袋が開口し、手を離すとアームが復元してゴミ袋が閉じるゴミ袋ホルダーを提供する。
【０００６】
このようなゴミ袋ホルダーにゴミ袋をセットして吊り下げると、ゴミを容易にゴミ袋に投入して、衛生的に保管でき、袋内のゴミが少ないときにはゴミ袋が膨らまないので場所を取らず、ゴミの量が増えるにしたがってゴミ袋が膨らみ、ゴミ箱の制約を受けることなく、多量のゴミをゴミ袋に収容することができる。
【０００７】
また、前記両アームの先端部からゴミ袋の前面を覆うカバーを吊り下げると、ゴミ袋が透明であっても、ゴミ袋に収容したゴミが隠されるので、設置場所の美観を損ねることがない。
【０００８】
【発明の実施の形態】
以下、この発明の実施の形態を添付図面に基づいて説明する。
【０００９】
このゴミ袋ホルダーは、図１及び図２に示すように、動物の頭部をかたどった弾力性を有するプラスチック板を基体１として、ゴミ袋Ｂを吊り下げるものであり、この基体１には、両側方へ向けてアーム２が形成されている。
【００１０】
アーム２の先端部前面にはクリップ３が取り付けられ、基体１の中央下部には抑制片４が形成されている。基体１の中央部裏面には吸盤５が取り付けられ、その上方及び下方とアーム２の先端部裏面には座用突起６が設けられている。
【００１１】
このゴミ袋ホルダーを使用する際には、基体１を吸盤５で壁面に取り付け、ゴミ袋Ｂの上縁一辺両端部をクリップ３によりアーム２の先端部に固定し、ゴミ袋Ｂの上縁一辺中央部を抑制片４により基体１の後方に抑制保持する。
【００１２】
このとき、図３に示すように、ゴミ袋Ｂの上縁一辺両端部は、クリップ３の突軸８を貫通させて固定し、ゴミ袋Ｂの上縁一辺中央部は、基体１の中央下部の座用突起６と壁面との間に挟み込んで垂れ下がりを防止する。
【００１３】
この状態において、基体１と壁面の間隔は、基体１の裏面４か所の座用突起６で所定の大きさに保持されて、吸盤５が壁面に強力に吸着する。
【００１４】
また、図１及び図２に示すように、ゴミ袋Ｂの前面を、動物の胴部を描いたビニール製のカバー７で覆うようにする。カバー７は、その両端上部に嵌めた鳩目９の穴に、クリップ３の表側に設けたフック１０を挿通して、両アーム２の先端部から吊り下げる。
【００１５】
上記のようにセットしたゴミ袋Ｂにプラスチック包装材等のゴミを投入する際には、図４及び図５に示すように、ゴミ袋Ｂの上縁他辺をカバー７と共に前方へ引っ張ると、アーム２が撓んでゴミ袋Ｂが開口するので、ゴミをゴミ袋Ｂに容易に投入することができる。
【００１６】
その後、ゴミ袋Ｂから手を離すと、アーム２が復元して、ゴミ袋Ｂの開口部が閉じるので、ゴミに付着した食品の腐敗等による臭気の漏れも少なくなり、衛生的に好ましい状態でゴミを保管できる。
【００１７】
そして、このようにゴミを保管すると、ゴミ袋Ｂ内のゴミが少ないときにはゴミ袋Ｂが膨らまないので場所を取らず、ゴミの量が増えるにしたがってゴミ袋Ｂが膨らむので、多量のゴミをゴミ袋Ｂに収容することができる。
【００１８】
また、ゴミ袋Ｂが透明であっても、ゴミ袋Ｂに収容したゴミがカバー７で隠されるので、設置場所の美観を損ねることがない。
【００１９】
なお、基体１の壁面への取り付けに際して、壁面が冷蔵庫の側面等の平滑な面である場合には、吸盤５を直接吸着させることができるが、壁面が木板やクロスである場合には、プラスチック製の補助板を両面粘着テープで壁面に貼り付け、この補助板に吸盤５を吸着させるとよい。
【００２０】
また、吸盤５に代えて、木ねじ等で壁面に固定するようにしてもよく、冷蔵庫の側面等の磁性金属面に対しては、基板１の裏側に設けた磁石で取り付けるようにしてもよい。
【００２１】
そのほか、ゴミ袋Ｂには各種のサイズがあるため、図６に示すように、アーム２をロッド１１のスライドに伴い伸縮できるようにしておき、ゴミ袋Ｂのサイズに応じて、アーム２の長さを変化させ、クリップ３を移動させて、ゴミ袋Ｂの上縁両端部を固定できるようにしてもよい。
【００２２】
また、基体１及びカバー７のデザインには、図１のようなカンガルーのほか、図７に示すようなタヌキや、図８に示すようなクマなど、様々な動物の図柄を採用して、子供の興味を引くものにすることができる。
【００２３】
【発明の効果】
以上のように、この発明に係るゴミ袋ホルダーでは、吊り下げたゴミ袋の上縁他辺を前方へ引っ張ると、アームが撓んでゴミ袋が開口し、手を離すとアームが復元してゴミ袋が閉じるようにしたので、ゴミの投入が容易で衛生的であり、ゴミの保管に場所を取らず、多量のゴミをゴミ袋に収容することができる。
【００２４】
また、前記両アームの先端部からゴミ袋の前面を覆うカバーを吊り下げると、ゴミ袋が透明であっても、ゴミ袋に収容したゴミが隠されるので、設置場所の美観を損ねることがない。
【図面の簡単な説明】
【図１】この発明の一実施形態に係るゴミ袋ホルダーの使用状態を示す正面図
【図２】同上のゴミ袋とカバーの分離状態を示す斜視図
【図３】同上のクリップのゴミ袋固定部分を示す拡大縦断側面図
【図４】同上のゴミ袋を開いた状態を示す斜視図
【図５】同上の上面図
【図６】同上のアームを伸縮式にした形態を示す正面図
【図７】他の実施形態を示す正面図
【図８】他の実施形態を示す正面図
【符号の説明】
１  基体
２  アーム
３  クリップ
４  抑制片
５  吸盤
６  座用突起
７  カバー
８  突軸
９  鳩目
１０  フック
Ｂ  ゴミ袋
【図１】
2004203554.tif 000003
【図２】
2004203554.tif 000004
【図３】
2004203554.tif 000005
【図４】
2004203554.tif 000006
【図５】
2004203554.tif 000007
【図６】
2004203554.tif 000008
【図７】
2004203554.tif 000009
【図８】
2004203554.tif 000010